(57)【要約】【課題】プラント機器の状態の管理をより効率的に行うことを可能とする。【解決手段】プラント内に配置されたプラント機器に取り付けられる１つ以上の検出装置の検出部が検出した前記プラント機器の状態を表すデータと、複数のランクから前記データに基いて前記検出部毎に設定される前記プラント機器の状態のランクと、を記憶可能なデータ記憶装置と通信可能に構成されている表示装置６０である。表示装置６０は、制御部と表示部６４とを備える。前記制御部は、前記データ記憶装置と通信しているときに、表示部６４に、任意に複数選択された前記検出部に関する情報と前記ランクを一覧で表示する検出部一覧表示部６０６と、前記プラントを示す地図画像６０７ａとこの地図画像６０７ａ上の前記検出部が備えられる前記検出装置の位置を示すＳＭアイコン６０７ｂを表示する設置位置表示部６０７と、を含む設備一覧画面６０Ｂを表示させる。【選択図】図８
2017167761.tif 000002
【特許請求の範囲】
【請求項１】
プラント内に配置されたプラント機器に取り付けられる１つ以上の検出装置の検出部が検出した前記プラント機器の状態を表すデータと、複数のランクから前記データに基いて前記検出部毎に設定される前記プラント機器の状態のランクと、を記憶可能なデータ記憶装置と通信可能に構成されている表示装置であって、
制御部と表示部とを備え、
前記制御部は、前記データ記憶装置と通信しているときに、前記表示部に、任意に複数選択された前記検出部に関する情報と前記ランクを一覧で表示する検出部一覧表示部と、前記プラントを示す地図画像とこの地図画像上の前記検出部が備えられる前記検出装置の位置を示すマークを表示する設置位置表示部と、を含む第１画面を表示させる、ことを特徴とする表示装置。
【請求項２】
前記制御部は、前記検出部一覧表示部あるいは前記設置位置表示部において１つの前記検出部を選択する選択操作を入力したときに、前記表示部に、前記検出部一覧表示部における選択された前記検出部に対応する部分と前記設置位置表示部における選択された前記検出部を備える前記検出装置に対応する前記マークとを強調表示させる、ことを特徴とする請求項１に記載の表示装置。
【請求項３】
前記制御部は、前記検出部一覧表示部あるいは前記設置位置表示部において１つの前記検出部が選択され、かつ前記表示部の画面を遷移する画面遷移操作を入力したときに、前記表示部に、前記設置位置表示部と、選択された前記検出部が備えられる前記検出装置に関し、かつ前記検出部一覧表示部に表示されない情報を少なくとも表示する詳細情報表示部と、を含む第２画面を表示させる、ことを特徴とする請求項１に記載の表示装置。
【請求項４】
前記制御部は、前記表示部に、前記第２画面において前記設置位置表示部に替えて、選択された前記検出部が備えられる前記検出装置及び前記検出装置が取り付けられる前記プラント機器を含む画像を表示する詳細画像表示部あるいは選択された前記検出部が検出した前記データの履歴を表示する検出履歴表示部を表示可能とする、ことを特徴とする請求項３に記載の表示装置。
【請求項５】
請求項１から請求項４のいずれかに記載の前記表示装置と、
前記プラント内に配置された前記プラント機器に取り付けられる１つ以上の前記検出装置と、
前記検出装置が接続可能なネットワークを構築するネットワーク構築装置と、
前記検出装置の前記検出部が検出した前記プラント機器の状態を示す前記データと、前記複数のランクから前記データに基いて前記検出部毎に設定される前記プラント機器の状態の前記ランクと、を記憶可能な前記データ記憶装置と、を備え、
前記ネットワーク構築装置は、前記データ記憶装置と通信可能に構成されるとともに、接続されている前記検出装置から受け取る前記データを前記データ記憶装置に送信する、ことを特徴とするプラント機器状態収集システム。
【発明の詳細な説明】
【技術分野】
【０００１】
本発明は、表示装置及びプラント機器状態収集システムに関する。本発明は、特に、プラント機器状態の管理が容易となる表示装置及びプラント機器状態収集システムに関する。
【背景技術】
【０００２】
一般的に、プラントの敷地は広大であり、その広大な敷地に、スチームトラップ、ポンプ装置等のプラント機器が多数設けられている。従来は、例えばプラントの保守員等の作業担当者が、携帯型の検出装置を携帯してプラント機器まで移動し、プラント機器から温度、振動、回転数等のデータを直接検出し、プラント機器が正常に作動しているか否かを判定する、定期点検を行っていた。プラント機器は、プラントの広大な敷地に多数設けられているため、定期点検を実施する度に、作業担当者が検出対象となるプラント機器まで移動することは、多大な労力と時間が必要であった。
【０００３】
このような状況を改善するために、例えば、特許文献１には、プラント機器に取り付けられてそのプラント機器の監視を行う監視用センサ（検出装置）が、管理サーバ（データ記憶装置）と広域ネットワークを介して接続されているメインテナンス支援システム（プラント機器状態収集システム）が開示されている。特許文献１に開示されているプラント機器状態収集システムでは、定期的に、検出装置が検出したプラント機器に応じた温度、振動、回転数等の物理量を含む測定データが、無線通信でデータ記憶装置に送信される。
【０００４】
また、特許文献１に開示されているプラント機器状態収集システムでは、データ記憶装置が、検出装置から送信された測定データに基いてプラント機器に異常状態が発生しているか否かを判定する。データ記憶装置がプラント機器に異常状態が発生していると判定したときは、管理担当者及び作業担当者等に対して、異常状態が発生していると判定されたプラント機器の少なくとも位置、設備名称を電子メールで通知する。作業担当者は、自身が携帯する無線情報端末装置を用いてこの電子メールを受け取り、異常状態が発生しているプラント機器の設置場所まで移動し、対象のプラント機器に対して修繕等の所定の作業を行う。また、無線情報端末装置は、受け取った電子メールに含まれる位置情報を地図上に重畳して表示できることによって、作業担当者による異常状態が発生しているプラント機器の探索及び特定を補助することが可能である。
【０００５】
このように、特許文献１に開示されているプラント機器状態収集システムでは、検出装置が取り付けられたプラント機器に対しては、プラント機器に応じた物理量の検出及びその測定データに基いた異常状態の発生の有無の判定が、定期的に自動で実行される。そのため、特許文献１に開示されているプラント機器状態収集システムでは、従来のように、作業担当者が定期的にプラント機器まで移動して行う定期点検と比較して、労力及び時間が効率化されている。
【先行技術文献】
【特許文献】
【０００６】
【特許文献１】特開２００６−２０９５９４号公報
【発明の概要】
【発明が解決しようとする課題】
【０００７】
ところで、検出装置によって検出される測定データは、プラント機器が正常状態であっても一時的に数値の変動が大きくなる場合がある。そのため、特許文献１に開示されているようにプラント機器に異常状態が発生しているか否かの判定を完全に自動化するのではなく、管理担当者がデータ記憶装置が判定した異常状態について、一時的な数値の変動であるか、真に修繕等が必要な異常状態であるかを判断し、作業担当者に修繕等の作業を指示することが望ましい場合がある。この際、管理担当者が使用する管理端末（表示装置）に、検出装置が取り付けられたプラント機器の状態を効率よく把握し、真に異常状態であるか否かを迅速に判断できるような表示を行うことが求められる。この問題は、プラントが巨大化するに応じて、又、プラント機器が増加するに応じてより顕著になることが想定される。これに対し、特許文献１には、管理担当者にも電子メールが送信されることが記載されているものの、管理担当者の利便性を向上させる表示形態については開示されていない。
【０００８】
本発明は、前述の課題を鑑みてなされたものであり、プラント機器の状態の管理をより効率的に行うことを可能とする表示装置及びプラント機器状態収集システムを提供することを目的とする。
【課題を解決するための手段】
【０００９】
本発明の表示装置は、プラント内に配置されたプラント機器に取り付けられる１つ以上の検出装置の検出部が検出した前記プラント機器の状態を表すデータと、複数のランクから前記データに基いて前記検出部毎に設定される前記プラント機器の状態のランクと、を記憶可能なデータ記憶装置と通信可能に構成されている表示装置であって、
制御部と表示部とを備え、
前記制御部は、前記データ記憶装置と通信しているときに、前記表示部に、任意に複数選択された前記検出部に関する情報と前記ランクを一覧で表示する検出部一覧表示部と、前記プラントを示す地図画像とこの地図画像上の前記検出部が備えられる前記検出装置の位置を示すマークを表示する設置位置表示部と、を含む第１画面を表示させる、ことを特徴とする。
【００１０】
本発明のプラント機器状態収集システムは、請求項１から請求項４のいずれかに記載の前記表示装置と、
前記プラント内に配置された前記プラント機器に取り付けられる１つ以上の前記検出装置と、
前記検出装置が接続可能なネットワークを構築するネットワーク構築装置と、
前記検出装置の前記検出部が検出した前記プラント機器の状態を示す前記データと、前記複数のランクから前記データに基いて前記検出部毎に設定される前記プラント機器の状態の前記ランクと、を記憶可能な前記データ記憶装置と、を備え、
前記ネットワーク構築装置は、前記データ記憶装置と通信可能に構成されるとともに、接続されている前記検出装置から受け取る前記データを前記データ記憶装置に送信する、ことを特徴とする。
【発明の効果】
【００１１】
本発明によれば、プラント機器の状態の管理をより効率的に行うことが可能となる。
【図面の簡単な説明】
【００１２】
【図１】本発明のプラント機器状態収集システムの全体構成の例を示す図である。
【図２】図１に示されるプラント機器状態収集システムの各構成要素の内部構造の例を示す図である。
【図３】図１に示されるプラント機器状態収集システムがプラント機器の状態を収集する動作の例を示すフローチャートである。
【図４】クラウドサーバに記憶される状態ランクテーブルデータを示す図である。
【図５】クラウドサーバにおける状態ランク更新処理を示すフロー図である。
【図６】ノートパソコンにおける画面遷移を示す図である。
【図７】ノートパソコンの表示例を示す図である。
【図８】ノートパソコンの表示例を示す図である。
【図９】ノートパソコンの表示例を示す図である。
【図１０】ノートパソコンの表示例を示す図である。
【図１１】ノートパソコンの表示例を示す図である。
【図１２】ノートパソコンの表示例を示す図である。
【図１３】ノートパソコンの表示例を示す図である。
【発明を実施するための形態】
【００１３】
以下、本発明の好ましい実施形態について説明する。なお、本発明は以下に説明される実施形態に限定されるものではなく、発明の要旨を逸脱しない範囲内で種々の変更（構成要素の削除を含む）等が可能であることは勿論である。
【００１４】
《１．全体の構成》
図１に示されるように、プラント機器状態収集システム１は、検出装置１０とネットワーク構築装置２０とデータ記憶装置３０と携帯端末４０と管理端末６０とを備える。検出装置１０は、複数個備えられ、各検出装置１０は、図示されていないプラント内に配置される複数のプラント機器のうち対応するプラント機器に取り付けられる。複数の検出装置１０は、ネットワーク構築装置２０が構築する例えば無線ＬＡＮ（Local  Area  Network）及びＺｉｇＢｅｅ（登録商標）等の規格を用いた無線センサネットワーク（Wireless  Sensor  Network；ＷＳＮ）に接続することができる。ＷＳＮは、いわゆるメッシュ型ネットワークであることが好ましい。すなわち、複数の検出装置１０がネットワーク構築装置２０と接続し、各検出装置１０は、それ自身が隣接する他の１または複数の検出装置１０とも接続することが好ましい。また、ネットワーク構築装置２０から距離が離れていること等によってＷＳＮと直接接続できない検出装置１０が存在するときは、プラント機器状態収集システム１は中継器５０を更に備えて、ＷＳＮの接続可能範囲を補間してもよい。
【００１５】
ネットワーク構築装置２０は、３Ｇ回線またはＬＴＥ（Long  Term  Evolution）回線等のモバイル通信を利用可能に構成されている。以下、「３Ｇ回線またはＬＴＥ回線等のモバイル通信」を「３Ｇ／ＬＴＥ」とも呼ぶ。ネットワーク構築装置２０は、３Ｇ／ＬＴＥを介してデータ記憶装置３０と通信可能に構成されている。図１に示される例では、３個の検出装置１０がネットワーク構築装置２０によって構築されるＷＳＮに接続されるように示されているが、ＷＳＮに接続される検出装置１０は、４個以上であってもよく、１または２個であってもよい。また、実際のプラント機器状態収集システム１では、複数のネットワーク構築装置（図１のネットワーク構築装置２０及び図示されていない他の１または複数のネットワーク構築装置）が備えられている。図示されていない他の１または複数のネットワーク構築装置には、図１と同様に、図示されていない複数の検出装置が接続されている。
【００１６】
図２には、図１に示されるプラント機器状態収集システム１の各構成要素の内部構成の例が示される。図２に示される検出装置１０は、制御部１１、検出部１２、ネットワーク接続部１３、タグ部１４、報知部１５、撮像部１６及び計時部１７を有する。検出装置１０は、図示されていない電源ケーブル等で電力を供給することが困難な場所に取り付けられることが想定されるため、更にバッテリ１８を有していることが好ましい。また、検出装置１０は、例えば制御部１１、検出部１２、ネットワーク接続部１３、タグ部１４、報知部１５及び撮像部１６の少なくとも１つに対して、電源ケーブルまたはバッテリ１８からの電力の供給を制御する電源制御部１９を更に有してもよい。電源制御部１９は、例えば、リレーシーケンスまたはトランジスタ等のスイッチング素子等を有する、自己保持回路を備える。以下、「検出装置１０」を「センサモジュール１０」とも呼ぶ。
【００１７】
検出装置１０の制御部１１は、例えば、検出部１２、ネットワーク接続部１３、タグ部１４、報知部１５及び撮像部１６の動作を制御する。また、制御部１１は、例えば、さらにバッテリ１８の残量を取得可能に構成されていてもよい。検出装置１０の検出部１２は、例えばセンサからなり、検出装置１０が取り付けられたプラント機器の状態を検出する。ここで、プラント機器とは、例えばスチームトラップ、回転機等であり、プラント機器の状態とは、例えばプラント機器の温度、振動、湿度、圧力、ｐｈ（ペーハー）等である。１つの検出装置１０が複数の検出項目を検出する場合は、検出部１２も複数備えられる。例えば、検出装置１０が、温度と振動とを検出する場合は、検出部１２として温度センサと振動センサが備えられる。
【００１８】
検出装置１０のネットワーク接続部１３は、ネットワーク構築装置２０によって構築されるＷＳＮに接続可能に構成されている。検出装置１０のタグ部１４は、図示しないタグＩＣ及びタグアンテナを有する、例えば、ＮＦＣ（Near  Field  Communication）に用いられるＲＦ（Radio  Frequency）タグである。タグ部１４は、後述する携帯端末４０のタグ制御部４３が、非接触で情報を前記タグＩＣに例えば書き込むことによって記憶させることができ、且つ、前記タグＩＣに非接触で記憶されている情報を例えば読み込むことによって取得することができるように構成されている。ここで、非接触とは、検出装置１０のタグ部１４と携帯端末４０のタグ制御部４３とを例えばケーブル等で有線接続されること等によって、検出装置１０のタグ部１４と携帯端末４０のタグ制御部４３とが直接的な状態または間接的な状態で機械的に接触しないことをいう。また、タグ部１４（具体的には前記タグＩＣ）に、検出装置１０を特定する特定情報である、例えばセンサＩＤが予め記憶されている。
【００１９】
検出装置１０の報知部１５は、例えばＬＥＤ、ブザー等であって、制御部１１の制御によって起動または停止する。検出装置１０の撮像部１６は、例えばカメラ等であって、制御部１１の制御によって起動または停止し、後述する設置詳細画像を撮像する。検出装置１０の計時部１７は、所定のクロック回路を備え、バッテリ１８から電力が供給され、電源制御部１９の状態に係わらず常に日時（日付を含む。以下同じ）を計時する。検出装置１０のバッテリ１８は、検出装置１０が電源ＯＮ状態であるときに、少なくとも制御部１１に対して電力を供給する。検出部１２、ネットワーク接続部１３、タグ部１４、報知部１５及び撮像部１６に対する電力の供給は、例えば、制御部１１を介して電力が供給されてもよく、制御部１１を介さずに電力が供給されてもよい。
【００２０】
図２に示されるネットワーク構築装置２０は、制御部２１、３Ｇ／ＬＴＥ通信部２２、ネットワーク構築部２３、記憶部２４及び計時部２５を有する。以下、「ネットワーク構築装置２０」を「センサゲートモジュール２０」とも呼ぶ。
【００２１】
ネットワーク構築装置２０の制御部２１は、例えば、３Ｇ／ＬＴＥ通信部２２、ネットワーク構築部２３及び記憶部２４の動作を制御する。ネットワーク構築装置２０が３Ｇ／ＬＴＥ通信部２２を有することによって、ネットワーク構築装置２０は３Ｇ／ＬＴＥに接続可能である。また、ネットワーク構築装置２０は、ネットワーク構築部２３を有することによって、ＷＳＮを構築可能である。ネットワーク構築装置２０が構築するＷＳＮは、特定のネットワーク構築装置２０によって構築されたＷＳＮであることを特定するネットワーク特定情報である、例えばネットワークＩＤが与えられている。
【００２２】
ネットワーク構築装置２０の記憶部２４は、ネットワーク構築装置２０が構築するＷＳＮのネットワーク構築情報を記憶する。ネットワーク構築情報は、例えば、ネットワークＩＤ、このネットワークＩＤで特定されるＷＳＮに接続されている検出装置１０のセンサＩＤ及びこれらの検出装置１０のＷＳＮへの接続状態のリストを含む。ネットワークＩＤで特定されるＷＳＮに中継器５０が接続されているときは、ネットワーク構築情報は、中継器ＩＤ及び中継器のＷＳＮへの接続状態を更に含んでもよい。ネットワーク構築装置２０の計時部２５は、所定のクロック回路を備え、常に日時を計時する。
【００２３】
図２に示されるデータ記憶装置３０は、制御部３１、３Ｇ／ＬＴＥ通信部３２、記憶部３３及び計時部３４を有する。以下、「データ記憶装置３０」を「クラウドサーバ３０」とも呼ぶ。
【００２４】
データ記憶装置３０の記憶部３３は、プラント情報を記憶する。プラント情報は、例えば、複数のネットワークＩＤ、各ネットワークＩＤで特定されるＷＳＮに接続されている検出装置１０のセンサＩＤ、検出装置１０の接続状態、検出装置１０の取付情報（ＳＭ（センサモジュール）取付情報）、検出装置１０の動作条件（ＳＭ動作条件）、検出装置１０の整備情報、プラント機器の状態のランク及び検出装置１０が検出するプラント機器の状態を表す検出値を含む。検出装置１０の取付情報は、例えば、プラント内の番地等の取付エリア、取付場所の詳細、検出装置１０が取り付けられた取付機器の種別、設置日時、設置作業者、設置作業者の所属先及び設置詳細画像を含む。検出装置１０の動作条件は、例えば、検出装置１０の検出部１２が検出する検出項目や検出間隔、閾値を含む。また、プラント機器の状態のランク（以下、「状態ランク」とも呼ぶ）は、検出装置１０の検出部１２が検出した検出値に基いて検出部１２毎に複数のランクから設定されるものである。プラント機器の状態のランクについては後で詳述する。また、中継器５０が接続されているＷＳＮが存在するときは、中継器ＩＤ、これらのＷＳＮへの接続状態及び中継器の取付情報を更に含んでもよい。なお、プラント情報には、ネットワーク構築情報の全ての項目が含まれている。データ記憶装置３０の計時部３４は、精度の高い日時を計時可能な例えば電波時計回路を備え、常に日時を計時する。本実施形態においては、計時部３４は、ＷＳＮにおいて基準となる日時（以下、「ＷＳＮ時刻」とも呼ぶ）を計時する。データ記憶装置３０は、計時部３４で計時するＷＳＮ時刻情報を、ＷＳＮを介して検出装置１０、ネットワーク構築装置２０、中継器５０に送信する。ＷＳＮ時刻情報を受信した各装置１０、２０、５０の各計時部１７、２５、３４、５７は受信したＷＳＮ時刻情報に日時を同期する（時刻同期）。これにより、ＷＳＮに接続される検出装置１０、ネットワーク構築装置２０、データ記憶装置３０、中継器５０間では常時内部で計時する日時が同期された状態が保たれている。なお、ＷＳＮにおける時刻同期の方法は前述のものに限られず、他の公知の方法を用いることができる。
【００２５】
図２に示される携帯端末４０は、制御部４１、３Ｇ／ＬＴＥ通信部４２、タグ制御部４３、スピーカ４４、入力部４５、表示部４６、計時部４７及び記憶部４８を有する。以下、「携帯端末４０」を「タブレット端末４０」とも呼ぶ。携帯端末４０は、３Ｇ／ＬＴＥを介してデータ記憶装置３０と通信可能に構成されている。
【００２６】
携帯端末４０のタグ制御部４３は、図示しないタグリーダ／ライタ及びタグ制御アンテナを有する。タグ制御部４３による、検出装置１０のタグ部１４への情報の記憶及びタグ部１４からの情報の取得は、携帯端末４０を検出装置１０にかざすこと、すなわち、例えば携帯端末４０を検出装置１０から所定の距離（例えば１０ｃｍ）まで近づけることによって自動的に実行される。携帯端末４０のスピーカ４４は、制御部４１による制御のもとで所定の音声を出力するものである。携帯端末４０の入力部４５及び表示部４６は、例えばタッチパネル式のディスプレイパネルモジュール４５，４６で構成されてもよい。以下、「タッチパネル式のディスプレイパネルモジュール４５，４６」を「タッチパネル４５，４６」とも呼ぶ。携帯端末４０の計時部４７は、所定のクロック回路を備え、常に日時を計時する。携帯端末４０の記憶部４８は、各種情報を記憶する。
【００２７】
作業担当者は、携帯端末４０によって、ＷＥＢブラウザを用いてデータ記憶装置３０に記憶されているプラント情報の閲覧及び編集、検出装置１０のネットワーク接続等の作業をすることが可能になる。
【００２８】
図２に示される中継器５０は、制御部５１、ネットワーク接続部５２、タグ部５３、報知部５４、バッテリ５５、電源制御部５６及び計時部５７を有する。中継器５０は、検出装置１０と概ね同様の内部構造であるが、検出部及び撮像部を有さない点で検出装置１０と異なる。
【００２９】
図２に示される管理端末６０は、制御部６１、３Ｇ／ＬＴＥ通信部６２、入力部６３、表示部６４、計時部６５及び記憶部４８を有する。以下、「管理端末６０」を「ノートパソコン６０」とも呼ぶ。管理端末６０は、３Ｇ／ＬＴＥを介してデータ記憶装置３０と通信可能に構成されている。なお、管理端末６０は、有線接続でデータ記憶装置３０と通信可能に構成されてもよい。
【００３０】
管理端末６０の入力部６３は、例えばマウスやキーボードなどからなる。管理端末６０の表示部６４は液晶ディスプレイなどからなる。管理端末６０の計時部６５は、所定のクロック回路を備え、常に日時を計時する。管理端末６０の記憶部６６は、各種情報を記憶する。
【００３１】
プラントの管理担当者は、管理端末６０によって、ＷＥＢブラウザを用いてデータ記憶装置３０に記憶されるプラント情報を閲覧及び編集することができる。その結果、管理担当者はプラント機器を直接監視しにいくことなく、プラント機器の状態を遠隔で監視することが可能になり、異常状態を発見したときに、携帯端末４０を携帯する作業担当者に修繕作業の指示等をすることが可能になる。また、管理端末６０に、プラント機器状態収集システム１に関連付けられたアプリケーションプログラムがインストールされており、このアプリケーションを実行することによって、データ記憶装置３０に記憶されているプラント情報の閲覧及び編集を可能としてもよい。
【００３２】
《２．プラント機器状態収集システムの動作》
《２−１．プラント機器の状態の収集》
図３を参照して、プラント機器状態収集システム１が、プラント機器の状態を収集する動作の例について説明する。ここでは、センサモジュール１０は、センサゲートモジュール２０が構築するＷＳＮへ正しく接続されていることを前提に説明する。
【００３３】
ステップＳＴ１０１では、センサモジュール１０は、設定された検出間隔毎にタイマーによってスリープ状態から復帰して電源ＯＮ状態となり、設定された検出項目についてセンサモジュール１０が取り付けられたプラント機器の状態を検出し、その検出値（データ）をセンサゲートモジュール２０に自身のセンサＩＤとともに送信する。センサモジュール１０は、検出値の送信後はタイマーをセットして再びスリープ状態となる。
【００３４】
ステップＳＴ１０２では、センサゲートモジュール２０は、受信したセンサＩＤ及び検出値を、３Ｇ／ＬＴＥを介してクラウドサーバ３０に自身が構築するＷＳＮのネットワークＩＤとともに送信する。
【００３５】
ここで、ステップＳＴ１０２では、センサゲートモジュール２０は、自身が構築するＷＳＮに接続されているいずれかのセンサモジュール１０から検出値を受信する度に、そのセンサＩＤ及び検出値をネットワークＩＤとともに送信してもよい。代替的に、ステップＳＴ１０２では、センサゲートモジュール２０は、受信するセンサＩＤ及び検出値を一時的に記憶しておき、設定された送信間隔毎に一時的に記憶された複数のセンサＩＤ及び検出値をネットワークＩＤとともに送信してもよい。
【００３６】
ステップＳＴ１０３では、クラウドサーバ３０は、受信したデータをクラウドサーバ３０の記憶部３３が記憶するプラント情報に反映させて、プラント情報を更新する。ステップＳＴ１０１、ステップＳＴ１０２及びステップＳＴ１０３は、随時繰り返される。このように、プラント機器状態収集システム１では、センサモジュール１０が検出したプラント機器の状態が、自動的にクラウドサーバ３０が記憶するプラント情報に反映される。その結果、作業担当者はプラント機器の状態を検出または確認する度に、対象のプラント機器が配置されている位置に移動する必要がない。
【００３７】
ここで、ステップＳＴ１０３では、プラント情報の１つとして、検出装置１０の検出部１２毎に設定される状態ランクが更新される。本実施形態において、記憶部３３には、状態ランクを設定するための状態ランクテーブルデータＲＫが記憶されている。状態ランクテーブルデータＲＫは、複数の優先度と複数のランクと複数の色とが対応付けられて記憶されている。例えば本実施形態においては、優先度「１」とランク「異常」と色「赤」とが対応付けられており、優先度「２」とランク「注意」と色「オレンジ」が対応付けられており、優先度「３」とランク「エラー」と色「黒」が対応付けられており、優先度「４」とランク「正常」と色「白」が対応付けられている。なお、優先度は数字が小さいほど優先度が高いものとする。したがって、各ランクの優先度は、「異常」、「注意」、「エラー」、「正常」の順に優先度が高い。また、各ランクのうち、「異常」、「注意」、「エラー」は正常状態でない非正常状態を示す非正常ランクであり、「正常」は正常状態を示す正常ランクである。また、各ランクのうち、「異常」、「注意」、「正常」は検出値と所定の閾値との比較結果によって設定され、「エラー」は検出値の受信がない場合に設定される。なお、本実施形態では複数の色を色相で設定しているが、彩度や明度を異ならせてもよい。クラウドサーバ３０（制御部３１）は、例えば図５に示す処理を実行して状態ランクを更新する。
ステップＳＴ３０１では、クラウドサーバ３０は、センサゲートモジュール２０からのデータを受信したか否かを判定する。クラウドサーバ３０は、データを受信した場合は、ステップＳＴ３０２に進み、データを受信しない場合は、ステップＳＴ３０１を繰り返す。
ステップＳＴ３０２では、クラウドサーバ３０は、受信した検出値（最新検出値）に基いて新たなランクを決定する。新たなランクは、検出部１２毎に各ランクに対応して予め設定される閾値と検出値との比較結果及び検出値の受信有無によって決定される。本実施形態においては、新たなランクは、「異常」、「注意」、「エラー」、「正常」のいずれかとなる。
ステップＳＴ３０３では、クラウドサーバ３０は、ステップＳＴ３０２で決定した新たなランクの優先度の数値が記憶部３３に記憶されている現在のランクの優先度よりも数値が小さい（優先度が高い）か否かを判定する。クラウドサーバ３０は、新たなランクの優先度の数値が現在のランクの優先度の数値よりも小さい（優先度が高い）場合は、ステップＳＴ３０４に進み、新たなランクの優先度が現在のランクの優先度の数値以上である（優先度が同等ないし低い）場合は、状態ランクを更新せずにステップＳＴ３０１に戻る。
ステップＳＴ３０４では、クラウドサーバ３０は、現在のランクに替えて新たなランクを記憶部３３に記憶させて状態ランクを更新する。ステップＳＴ３０１〜３０４の処理は随時繰り返される。これによれば、クラウドサーバ３０によって、検出値に基づく最も優先度の高いランクが状態ランクとして自動的に設定されることとなる。
【００３８】
図３に戻って、ステップＳＴ１０４では、管理担当者は、定期的にあるいはクラウドサーバ３０からの通知に応じて、ノートパソコン６０を用いてクラウドサーバ３０に接続し、クラウドサーバ３０が記憶しているプラント情報を閲覧、編集することで遠隔でプラント機器の状態を監視することができる。なお、管理担当者が利用する管理端末は、ノートパソコン６０に限られず、クラウドサーバ３０と接続可能なデスクトップパソコンなどの任意の端末を用いることができる。
【００３９】
図６〜図１３を参照して、ステップＳＴ１０４で管理担当者がプラント機器の状態の監視作業を行うときの動作の例について説明する。図６は、ノートパソコン６０の表示部６４の画面遷移を示す図である。クラウドサーバ３０にログイン（接続）すると、制御部６１の制御のもとでノートパソコン６０の表示部６４には、まず図７（ａ）に示すトップ画面６０Ａが表示される。
【００４０】
トップ画面６０Ａは、非正常ランク表示部６０１と、グループ表示部６０２と、グループ種別選択部６０３と、全設備一覧選択部６０４と、を有する。
非正常ランク表示部６０１は、１つのネットワークＩＤ（本実施形態ではネットワークＩＤ：１５７７）に接続されているセンサモジュール１０の検出部１２の数量（全センサ数）及び状態ランクのうち非正常ランク（「異常」、「注意」、「エラー」）の各々の数量をテキスト表示する。グループ表示部６０２は、センサモジュール１０の検出部１２を所定の種別毎に分類したグループをそれぞれ示すものである。分類したグループが複数ある場合はグループ表示部６０２も複数表示される。グループ種別選択部６０３は、グループ表示部６０２の種別を選択するための選択部である。グループ種別選択部６０３は、図７（ｂ）に示すように、例えば選択ボタンをクリックすることで種別のリストが表示されて任意の種別を選択することができる。本実施形態においては、種別として、プラント内を複数の領域に分割した「エリア」とプラント機器の種別である「設備」が選択可能である。図７（ａ）においては、グループ種別選択部６０３で「エリア」が選択され、検出部１２を「エリア」で分類した複数のグループ表示部６０２が表示されている。また、グループ表示部６０２は、自身のグループ内の検出部１２に設定された状態ランクのうち優先度が最も高いランクに対応付けられた色で表示される。具体的には、「Ａ１」エリアに対応するグループ表示部６０２は、その背景が「異常」ランクに対応付けられた赤色で表示され、「Ａ５」エリアに対応するグループ表示部６０２は、その背景が「注意」ランクに対応付けられたオレンジ色で表示され、「Ｂ３」エリアに対応するグループ表示部６０２は、その背景が「エラー」ランクに対応付けられた黒色で表示され、これら以外のエリアに対応するグループ表示部６０２は、その背景が「正常」ランクに対応付けられた白色で表示される。これによれば、管理担当者は、一見して優先的に確認するべきグループを把握することができる。また、グループ表示部６０２は、ダブルクリック等の選択操作によって表示部６４の画面を設備一覧画面６０Ｂ（第１の画面の一例）に遷移させるアイコンとしても機能する。
全設備一覧選択部６０４は、ダブルクリック等の選択操作によって表示部６４の画面を全設備一覧画面６０Ｃ（第１の画面の一例）に遷移するためのアイコンである。全設備一覧画面６０Ｃについては後で述べる。
【００４１】
トップ画面６０Ａにおいて、任意のグループ表示部６０２を選択操作（グループ選択操作の一例）すると、制御部６１の制御のもとで表示部６４の画面は図８に示す設備一覧画面６０Ｂに遷移する。設備一覧画面６０Ｂは、非正常ランク表示部６０１と、グループ内非正常ランク表示部６０５と、検出部一覧表示部６０６と、設置位置表示部６０７と、を有する。なお、図８に示す設備一覧画面６０Ｂは、「Ａ１」エリアを示すグループ表示部６０２を選択した場合の表示例である。
グループ内非正常ランク表示部６０５は、トップ画面６０Ａで選択されたグループ表示部６０２のグループ（図８では「Ａ１」エリア）内の検出部１２の数量（Ａ１センサ数）と、状態ランクのうち非正常ランク（「異常」、「注意」、「エラー」）の各々の数量をテキスト表示する。また、グループ内非正常ランク表示部６０５は、各非正常ランクの背景がトップ画面６０Ａにおいて用いられる状態ランクの各ランクに対応付けられた各色のうち各々に対応する色で表示される。具体的には、「異常」ランクの背景は赤色で表示され、「注意」ランクの背景はオレンジ色で表示され、「エラー」ランクの背景は黒色で表示される。
検出部一覧表示部６０６は、トップ画面６０Ａで選択されたグループ表示部６０２のグループ内の検出部１２に関する情報と、検出部１２に設定された状態ランクと、を一覧で表示するものである。図８では、検出部１２に関する情報として、検出部１２が備えられるセンサモジュール１０のセンサＩＤと、センサモジュール１０（検出部１２）が取り付けられるプラント機器（設備）の種別と、センサモジュール１０（検出部１２）が取り付けられるプラント機器が設置されるプラント内のエリアと、検出部１２の最新検出値と、最新検出値の検出日時（最新検出日時）と、が表示されている。この他、検出部１２に関する情報には、「温度」や「振動」などの検出項目（センサタイプ）、過去の検出値、検出間隔などクラウドサーバ３０に記憶されるプラント情報に含まれる任意の情報を含んでもよい。また、検出部一覧表示部６０６は、検出部１２に設定された状態ランクを示す部分の背景がトップ画面６０Ａにおいて用いられる状態ランクの各ランクに対応付けられた各色のうち各々が示す状態ランクに対応する色で表示される。具体的には、「異常」ランク部分の背景は「異常」ランクに対応付けられた赤色で表示され、「注意」ランク部分の背景は「注意」ランクに対応付けられたオレンジ色で表示され、「エラー」ランク部分の背景は「エラー」ランクに対応付けられた黒色で表示される。また、検出部一覧表示部６０６においては、クリック等の選択操作によって、図９に示すように１つの検出部１２を選択することが可能となっている。選択された検出部１２を示す部分は、例えばカーソル６０６ａで強調表示される。なお、強調表示として背景色を変更してもよい（ハイライト表示）。図９の例では、センサＩＤ：００２のセンサモジュール１０に備えられる検出部１２が選択されている。また、検出部一覧表示部６０６は、状態ランクの優先度毎に検出部１２を並べ替えるソート機能を有してもよい。
設置位置表示部６０７は、プラントを示す地図画像６０７ａと、地図画像６０７ａ上のトップ画面６０Ａで選択されたグループ表示部６０２のグループ内の検出部１２が備えられるセンサモジュール１０の位置を示すＳＭアイコン６０７ｂ（マークの一例）と、を有する。地図画像６０７ａは、任意の縮尺で表示される。図８の例では、地図画像６０７ａは、トップ画面６０Ａで選択されたグループ表示部６０２のグループが示す「Ａ１」エリアを示しているが、プラント全体を示すものとしてもよい。また、地図画像６０７ａは、プラントを撮像した撮像画像であってもよい。各ＳＭアイコン６０７ｂは、トップ画面６０Ａにおいて用いられる状態ランクの各ランクに対応付けられた各色のうち対応するセンサモジュール１０に備えられる検出部１２に設定される状態ランクに対応付けられた色で表示される。具体的には、センサＩＤ：００２のセンサモジュール１０に対応するＳＭアイコン６０７ｂは、「異常」ランクに対応付けられた赤色で表示され、センサＩＤ：００５のセンサモジュール１０に対応するＳＭアイコン６０７ｂは、「注意」ランクに対応付けられたオレンジ色で表示され、センサＩＤ：００７のセンサモジュール１０に対応するＳＭアイコン６０７ｂは「エラー」ランクに対応付けられた黒色で表示され、その他のセンサモジュール１０に対応するＳＭアイコン６０７ｂは、「正常」ランクに対応付けられた白色で表示される。なお、１つのセンサモジュール１０に検出項目の異なる複数の検出部１２が備えられる場合は、複数の検出部１２に設定される状態ランクのうち最も優先度の高いランクに対応付けられた色でＳＭアイコン６０７ｂを表示する。また、図９に示すように、検出部一覧表示部６０６において１つの検出部１２が選択されると、選択された検出部１２が備えられるセンサモジュール１０に対応するＳＭアイコン６０７ｂが強調表示される。図９の例では、強調表示として、状態ランク、設備、最新検出値を含む吹き出し部６０７ｃがＳＭアイコン６０７ｂと繋がるように表示される。また、設置位置表示部６０７において、任意のＳＭアイコン６０７ｂをクリック等の選択操作を行うことで、１つの検出部１２を選択可能としてもよい。この場合も、選択されたＳＭアイコン６０７ｂ及び検出部一覧表示部６０６における選択された検出部１２に対応する部分が強調表示される。なお、１つのセンサモジュール１０に検出項目の異なる複数の検出部１２が備えられる場合は、選択操作の回数によって選択される検出部１２を切り替え可能としてもよい。
設置情報選択部６０９は、ダブルクリック等の選択操作によって表示部６４の画面を設置情報画面６０Ｅ（第２画面の一例）に遷移するためのアイコンである。設置情報選択部６０９は、図９に示すように検出部一覧表示部６０６において１つの検出部１２が選択されると、図８に示す選択不可状態から選択可能状態となる。
設備一覧画面６０Ｂにおいて、グループ内非正常ランク表示部６０５、検出部一覧表示部６０６の検出部１２の状態ランクを示す部分をトップ画面６０Ａで用いられる状態ランクの各ランクに対応付けられた各色で表示することで、表示部４６の画面が設備一覧画面６０Ｂに遷移した場合であっても、管理担当者が優先して確認するべき項目をトップ画面６０Ａと共通する色によって瞬時に把握することができる。また、設置位置表示部６０７のＳＭアイコン６０７ｂを対応するセンサモジュール１０に備えられる検出部１２に設定される状態ランクに対応付けられた色で表示することで、管理担当者が優先して確認するべき検出部１２の位置をトップ画面６０Ａと共通する色によって瞬時に把握することができる。
また、設備一覧画面６０Ｂにおいて、検出部一覧表示部６０６と、設置位置表示部６０７とが同時に表示されるため、トップ画面６０Ａで選択した複数の検出部１２とその設置位置を容易に把握することができる。さらに、検出部一覧表示部６０６と設置位置表示部６０７において、選択された１つの検出部１２に対応する部分が共に強調表示されるため、選択された１つの検出部１２とその設置位置を容易に把握することができる。
【００４２】
設備一覧画面６０Ｂにおいて、設置情報選択部６０９が選択操作（画面遷移操作の一例）されると、制御部６１の制御のもとで表示部６４の画面は図１０（ａ）に示す設置情報画面６０Ｅに遷移する。設置情報画面６０Ｅは、選択された検出部１２及び検出部１２が備えられるセンサモジュール１０に関する詳細情報（設備一覧画面６０Ｂで表示されない情報を含む）を表示する画面であり、非正常ランク表示部６０１と、詳細情報表示部６１０と、全体情報表示部６１１と、を有する。
詳細情報表示部６１０は、選択された検出部１２が備えられるセンサモジュール１０に関する詳細情報をテキスト表示するものである。詳細情報表示部６１０に表示される情報には、設備一覧画面６０Ｂで表示されない情報が含まれ、より詳細な情報を表示する。図１０（ａ）の例では、詳細情報表示部６１０には、設備一覧画面６０Ｂと共通する情報として、検出部１２が備えられるセンサモジュール１０のセンサＩＤと、センサモジュール１０（検出部１２）が取り付けられるプラント機器（設備）の種別と、センサモジュール１０（検出部１２）が取り付けられるプラント機器が設置されるプラント内のエリアと、検出部１２の最新検出値と、最新検出値の検出日時（最新検出日時）と、検出部１２に設定される状態ランクと、が表示されている。また、設備一覧画面６０Ｂに表示されない情報として、センサモジュール１０の取付場所の詳細及び解説、検出部１２の検出項目（センサタイプ）と、検出間隔と、設置日時と、設置作業者と、設置作業者の所属先と、が表示されている。なお、１つのセンサモジュール１０に検出項目の異なる複数の検出部１２が備えられる場合は、検出部１２毎に、検出項目、状態ランク、最新検出値、最新検出値の検出日時が表示されてもよい。詳細情報表示部６１０において、状態ランクを示す部分の背景は、トップ画面６０Ａにおいて用いられる状態ランクの各ランクに対応付けられた各色のうち自身が示す状態ランクに対応する色で表示される。図１０（ａ）の例では、状態ランクは「異常」ランクであり、その背景は「異常」ランクに対応付けられた赤色で表示される。
全体情報表示部６１１は、設置位置表示部６０７を有するウィンドウである。また、全体情報表示部６１１は、自身に対応するタブ６１１ａを有する。
設置情報画面６０Ｅにおいて、詳細情報表示部６１０の状態ランクの各ランクに関連する部分をトップ画面６０Ａで用いられる状態ランクの各ランクに対応付けられた各色で表示することで、表示部４６の画面が設置情報画面６０Ｅに遷移した場合であっても、管理担当者が優先して確認するべき部分をトップ画面６０Ａと共通する色によって瞬時に把握することができる。
また、表示部６４の画面が設置情報画面６０Ｅに遷移したときに、設置情報画面６０Ｅに前の設備一覧画面６０Ｂと同じ設置位置表示部６０７を表示することで、設置情報画面６０Ｅと設備一覧画面６０Ｂとの関連性を管理作業者が瞬時に把握することができる。
【００４３】
また、制御部６１の制御のもとで、設置情報画面６０Ｅにおいて全体情報表示部６１１に替えて、図１１に示す詳細画像表示部６１２あるいは図１２に示す検出履歴表示部６１３を表示することができる。
詳細画像表示部６１２は、設置詳細画像６１４を有するウィンドウである。設置詳細画像６１４は、選択された検出部１２が備えられるセンサモジュール１０の取付場所の画像を示すものである。設置詳細画像６１４は、例えばセンサモジュール１０に備えられる撮像部１６によって撮像され、クラウドサーバ３０に送信される画像であり、センサモジュール１０（の筐体）とセンサモジュール１０が取り付けられるプラント機器の一部を含む画像である。
検出履歴表示部６１３は、グラフ表示部６１５と、検出一覧表示部６１６と、を有するウィンドウである。グラフ表示部６１５は、選択された検出部１２が検出した所定期間の検出値（最新検出値を含む）の履歴をグラフで表示するものである。グラフ表示部６１５において、グラフの背景のうち状態ランクの各ランクに対応する各領域は、トップ画面６０Ａにおいて用いられる状態ランクの各ランクに対応付けられた各色のうち各々に対応する色で表示される。図１１に示す例では、グラフの背景のうち、「異常」ランクに対応する領域（１００℃以上）は「異常」ランクに対応付けられた赤色で表示され、「注意」ランクに対応する領域（０℃未満）は「注意」ランクに対応付けられたオレンジ色で表示され、「正常」ランクに対応する領域（０℃以上１００℃未満）は「正常」ランクに対応付けられた白色で表示される。
検出一覧表示部６１６は、選択された検出部１２が検出した検出値の履歴を一覧で表示するものである。図１１の例では、検出値とその検出日時が一覧表示される。また、検出一覧表示部６１６において、検出値の各々を示す部分の背景は、トップ画面６０Ａにおいて用いられる状態ランクの各ランクに対応付けられた各色のうち各々が該当するランクに対応付けられた色で表示される。図１１の例では、各検出値のうち「異常」ランクに該当する１２０℃、１２２℃の検出値を示す部分の背景が「異常」ランクに対応付けられた赤色で表示され、それ以外の「正常」ランクに該当する９０℃、９４℃、８９℃、８５℃、８４℃、８３℃の検出値を示す部分の背景が「正常」ランクに対応付けられた白色で表示される。
全体情報表示部６１１、詳細画像表示部６１２、検出履歴表示部６１３の切り替えは、それぞれが対応するタブ６１１ａ、６１２ａ、６１３ａに対してクリック等の所定の選択操作を行うことで実行される。また、設置情報画面６０Ｅにおいて、センサモジュール１０に複数の検出部１２が備えられる場合は、検出部１２毎に検出履歴表示部６１３が設けられ、切り替えて表示可能としても良い。
設置情報画面６０Ｅにおいて、全体情報表示部６１１、詳細画像表示部６１２、検出履歴表示部６１３を切り替えて表示可能とすることで、管理担当者が必要な情報を迅速に確認することができる。
【００４４】
また、設置情報画面６０Ｅは、編集選択部６１７をさらに有する。編集選択部６１７は、プラント情報である状態ランクの編集可能状態及び編集不可状態を切り替えるための選択部である。編集選択部６１７が、クリック等の所定の選択操作で選択されると詳細情報表示部６１０が編集可能状態となる。詳細情報表示部６１０が編集可能状態となると、図１０（ｂ）に示すように詳細情報表示部６１０の状態ランクをリスト中の任意のランクに変更することができる。かかる変更はクラウドサーバ３０に送信されて記憶部３３の状態ランクが更新される。管理担当者は、例えば検出値が一時的に変動した場合等でプラント機器の状態が実際には正常であると判断すると、「異常」ランクを「正常」ランクに変更することができる。一方、管理担当者は、プラント機器の状態が真に異常であると判断すると、メール等の任意の手段を用いて作業担当者にプラント機器の確認及び修繕を指示する。また、編集選択部６１７によって、プラント情報の他の情報を変更可能としてもよい。例えば、図１２に示す検出履歴表示部６１３が表示されているときに、状態ランクの各ランクの閾値をテキスト入力等により任意の値に変更可能としてもよい。閾値が更新されると、グラフ表示部６１５における背景の各色の領域及び検出一覧表示部６１６における各検出値の背景の各色も更新された閾値に応じて変更される。
【００４５】
図７に戻って、トップ画面６０Ａにおいて、全設備一覧選択部６０４を選択操作すると、制御部６１の制御のもとで表示部６４の画面は図１３に示す全設備一覧画面６０Ｃに遷移する。全設備一覧画面６０Ｃは、非正常ランク表示部６０１と、全検出部一覧表示部６１８と、設置位置表示部６０７と、を有する。
全検出部一覧表示部６１８は、ネットワークＩＤ：１５７７に接続される全てのセンサモジュール１０に備えられる全ての検出部１２に関する情報と、検出部１２に設定された状態ランクと、を一覧で表示するものである。すなわち、全設備一覧画面６０Ｃにおいては、同じネットワークＩＤに接続される全ての検出部１２が選択される。
全設備一覧画面６０Ｃは、設備一覧画面６０Ｂと同様に、全検出部一覧表示部６１８において１つの検出部１２が選択されると、設置情報選択部６０９が選択可能状態となり、制御部６１の制御のもとで表示部６４の画面を設置情報画面６０Ｅに遷移させることができる。
なお、設備一覧画面６０Ｂ、全設備一覧画面６０Ｃ、設置情報画面６０Ｅにおいて、「ＴＯＰ」、「設備一覧」、「全設備一覧」などの文字部分のクリック操作や図示しない「戻る」ボタンの選択などの所定の画面戻り操作によって、表示部６４の画面を前に表示していた任意の画面に戻すことができる。例えば、設置情報画面６０Ｅからトップ画面６０Ａに戻ることができる。
【００４６】
以上のように、本実施形態のノートパソコン６０は、プラント内に配置されたプラント機器に取り付けられる１つ以上のセンサモジュール１０の検出部１２が検出した前記プラント機器の状態を表すデータ（検出値）と、複数のランクから前記データに基いて検出部１２毎に設定される前記プラント機器の状態のランク（状態ランク）と、を記憶可能なクラウドサーバ３０と通信可能に構成されている表示装置であって、
制御部６１と表示部６４とを備え、
制御部６１は、クラウドサーバ３０と通信しているときに、表示部６４に、任意に複数選択された検出部１２に関する情報と前記ランクを一覧で表示する検出部一覧表示部６０６（あるいは全検出部一覧表示部６１８）と、前記プラントを示す地図画像６０７ａとこの地図画像６０７ａ上の検出部１２が備えられる検出装置１０の位置を示すＳＭアイコン６０７ｂを表示する設置位置表示部６０７と、を含む設備一覧画面６０Ｂ（あるいは全設備一覧画面６０Ｃ）を表示させる。
これによれば、管理担当者は、トップ画面６０Ａで選択した複数の検出部１２とその設置位置を容易に把握することができ、プラント機器の状態の管理をより効率的に行うことができる。
【００４７】
また、制御部６１は、検出部一覧表示部６０６あるいは設置位置表示部６０７において１つの検出部１２を選択する選択操作を入力したときに、表示部６４に、検出部一覧表示部６０６における選択された検出部１２に対応する部分と設置位置表示部６０７における選択された検出部１２を備えるセンサモジュール１０に対応するＳＭアイコン６０７ｂとを強調表示させる。
これによれば、検出部一覧表示部６０６と設置位置表示部６０７において、選択された１つの検出部１２に対応する部分が共に強調表示されるため、選択された１つの検出部１２とその設置位置を容易に把握することができ、選択した検出部１２の位置の特定に時間が掛かったり、位置を間違えたりすることがなく、プラント機器の状態の管理をより効率的に行うことができる。
【００４８】
また、制御部６１は、検出部一覧表示部６０６あるいは設置位置表示部６０７において１つの検出部１２が選択され、かつ表示部６４の画面を遷移する画面遷移操作を入力したときに、表示部６４に、設置位置表示部６０７と、選択された検出部１２が備えられるセンサモジュール１０に関し、かつ検出部一覧表示部６０６に表示されない情報を少なくとも表示する詳細情報表示部６１０と、を含む設置情報画面６０Ｅを表示させる。
これによれば、設置情報画面６０Ｅと設備一覧画面６０Ｂとの関連性を管理作業者が瞬時に把握することができ、プラント機器の状態の管理をより効率的に行うことができる。
【００４９】
また、制御部６１は、表示部６４に、設置情報画面６０Ｅにおいて設置位置表示部６０７に替えて、選択された検出部１２が備えられるセンサモジュール１０及びセンサモジュール１０が取り付けられる前記プラント機器を含む設置詳細画像６１４を表示する詳細画像表示部６１２あるいは選択された検出部１２が検出した前記データの履歴を表示する検出履歴表示部６１３を表示可能とする。
これによれば、管理担当者が必要な情報を迅速に確認することができ、プラント機器の状態の管理をより効率的に行うことができる。
【００５０】
本実施形態のプラント機器状態収集システム１は、上述のノートパソコン６０と、
前記プラント内に配置された前記プラント機器に取り付けられる１つ以上のセンサモジュール１０と、
センサモジュール１０が接続可能なネットワークを構築するセンサゲートモジュール２０と、
センサモジュール１０の検出部１２が検出した前記プラント機器の状態を示す前記データと、前記複数のランクから前記データに基いて検出部１２に設定される前記プラント機器の状態の前記ランクと、を記憶可能なクラウドサーバ３０と、を備え、
センサゲートモジュール２０は、クラウドサーバ３０と通信可能に構成されるとともに、接続されているセンサモジュール１０から受け取る前記データをクラウドサーバ３０に送信する。
これによれば、管理担当者は、トップ画面６０Ａで選択した複数の検出部１２とその設置位置を容易に把握することができ、プラント機器の状態の管理をより効率的に行うことができる。
【００５１】
本実施形態において、グループ表示部６０２等は、その背景が所定の色で表示されるものであったが、その文字部分を所定の色で表示するものであってもよく、所定の色で表示する方法は本実施形態に限定されない。
【産業上の利用可能性】
【００５２】
本発明は、表示装置及びプラント機器状態収集システムに好適である。
【符号の説明】
【００５３】
１・・・プラント機器状態収集システム、１０・・・検出装置、１２・・・検出装置の検出部、２０・・・ネットワーク構築装置、３０・・・データ記憶装置、３３・・・データ記憶装置の記憶部、４０・・・携帯端末、５０・・・中継器、６０・・・管理端末、６１・・・管理端末の制御部、６４・・・管理端末の表示部。
【図１】
2017167761.tif 000003
【図２】
2017167761.tif 000004
【図３】
2017167761.tif 000005
【図４】
2017167761.tif 000006
【図５】
2017167761.tif 000007
【図６】
2017167761.tif 000008
【図７】
2017167761.tif 000009
【図８】
2017167761.tif 000010
【図９】
2017167761.tif 000011
【図１０】
2017167761.tif 000012
【図１１】
2017167761.tif 000013
【図１２】
2017167761.tif 000014
【図１３】
2017167761.tif 000015